(57)【要約】 【課題】より多く利用者が同一の自己改善内容を頻繁に且つ持続して聴き続けることを可能にすると共に、利用者が効果的に意識改善を図れる。【解決手段】配信サーバ１００は、同一のメッセージ内容に対して複数の音声者による単位音声メッセージを準備格納し、希望するメッセージ内容と、前記メッセージ内容を各再生順位で発声することを希望する音声者の指定情報を携帯電話３００から受信し、単位音声メッセージＤＢ１０６から指定された音声者の単位音声メッセージを抽出し、各再生順位に各音声者の単位音声メッセージを配置してファイル結合し、同一の自己改善メッセージが各再生順位の音声者の音声で連続出力される単独ファイルの自己改善コンテンツを生成し、携帯電話３００へ配信する。起床時に用いる場合には単位音声メッセージの前や後に利用者を半覚醒や覚醒に導く報知音を設定する自己改善コンテンツとすると好適である。【選択図】図２
2005260764.tif 000002
【特許請求の範囲】
【請求項１】
同一メッセージ内容の複数の音声者による単位音声メッセージを格納し且つ随時更新されるサーバが、通信ネットワークを介して接続するクライアント端末に、同一メッセージ内容の単位音声メッセージが連続再生される自己改善コンテンツを提供する方法であって、クライアント端末からメッセージ内容の指定情報と該メッセージ内容を各再生順位で発声する音声者の指定情報を受信し、該メッセージ内容の指定情報と各再生順位の音声者の指定情報に基づき、該音声者に対応する単位音声メッセージを抽出し、各再生順位に各単位音声メッセージを設定して、同一メッセージ内容の各再生順位の単位音声メッセージが連続再生される単独ファイルの自己改善コンテンツを生成し、該自己改善コンテンツをクライアント端末に配信することを特徴とする自己改善コンテンツの提供方法。
【請求項２】
前記クライアント端末から、最初の単位音声メッセージの前若しくは最後の単位音声メッセージの後若しくは両方に設定する報知音の指定情報を受信し、前記自己改善コンテンツを生成する際に、該報知音の指定情報に基づき、格納する報知音から指定報知音を抽出し、単位音声メッセージより音量が大きい指定報知音を、最初の単位音声メッセージの前若しくは最後の単位音声メッセージの後若しくは両方に設定して、単独ファイルの自己改善コンテンツを生成することを特徴とする請求項１記載の自己改善コンテンツの提供方法。
【請求項３】
前記クライアント端末から、最初の単位音声メッセージの前に設定する第１報知音と最後の単位音声メッセージの後に設定する第２報知音の指定情報を受信し、前記自己改善コンテンツを生成する際に、該第１報知音の指定情報及び第２報知音の指定情報に基づき、格納する報知音から指定第１報知音と指定第２報知音を抽出し、単位音声メッセージより音量が大きい指定第１報知音を最初の単位音声メッセージの前に設定すると共に、単位音声メッセージと指定第１報知音より音量が大きい第２報知音を最後の単位音声メッセージの後に設定して、単独ファイルの自己改善コンテンツを生成することを特徴とする請求項２記載の自己改善コンテンツの提供方法。
【請求項４】
前記自己改善コンテンツを生成する際に、格納する各単位音声メッセージの再生時間若しくは各単位音声メッセージと報知音の再生時間を認識し、各再生時間の積算に基づき自己改善コンテンツの再生時間を取得し、該取得した再生時間を表示可能に付加して自己改善コンテンツを生成することを特徴とする請求項１、２又は３記載の自己改善コンテンツの提供方法。
【請求項５】
前記クライアント端末が小型携帯情報端末であることを特徴とする請求項１、２、３又は４記載の自己改善コンテンツの提供方法。
【請求項６】
同一メッセージ内容の複数の音声者による単位音声メッセージを格納し且つ随時更新されるサーバが生成する、同一メッセージ内容の単位音声メッセージが連続再生される自己改善コンテンツを、通信ネットワークを介して接続するクライアント端末に提供する方法であって、クライアント端末の表示画面で、メッセージ内容の指定と該メッセージ内容を各再生順位で発声する音声者の指定を促すステップと、クライアント端末から受信したメッセージ内容と各再生順位の音声者の指定情報に基づく単位音声メッセージを各再生順位に設定して生成される単独ファイルの自己改善コンテンツを、該クライアント端末に受信させるステップとを備えることを特徴とする自己改善コンテンツの提供方法。
【発明の詳細な説明】
【技術分野】
【０００１】
本発明は、携帯電話などクライアント端末へのコンテンツ配信に係り、特に利用者が自らの意識を改善し、望ましい心身の状態や行動を実現するために聴く音声メッセージを有する自己改善コンテンツを提供する方法に関する。
【背景技術】
【０００２】
利用者が自らの意識を改善し、望ましい心身の状態や行動を実現するための自己改善コンテンツをクライアント端末へ配信することに関連する公知技術文献に特許文献１がある。特許文献１には、リラクゼーション又はモチベーションを利用者に感じさせる著名セラピスト等による映像や音声等のコンテンツをサーバに蓄積し、サーバからクライアント端末へコンテンツを配信し、ビジネス、スポーツ、芸能、教育、医療等の重要な場面に臨む利用者にコンテンツを視聴させ、利用者の緊張緩和を図ることや士気を高めることが開示されている。
【０００３】
【特許文献１】特開２００２−１０１４０４号公報
【発明の開示】
【発明が解決しようとする課題】
【０００４】
ところで、利用者が自らの意識を恒常的に改善して、恒常的に望ましい心身の状態や行動を実現するためには、利用者が望む同一の自己改善内容を頻繁に持続して聴き続け、その内容に基づく改善意識を強化し、定着させることが極めて重要である。しかしながら、同一の自己改善内容内容を聴き続けることに飽きてしまう利用者が多いことから、より多くの利用者が同一の自己改善内容を頻繁に且つ持続して聴き続けることを可能にする構成が求められる。また、自己改善コンテンツは、意識への浸透力が高く、意識改善を効果的に図れるものであることが望ましい。
【０００５】
本発明は上記課題に鑑み提案するものであって、その目的は、より多く利用者が同一の自己改善内容を頻繁に且つ持続して聴き続けることを可能にすると共に、意識への浸透力が高く、利用者が効果的に意識改善を図れる自己改善コンテンツを提供することにある。
【課題を解決するための手段】
【０００６】
本発明の自己改善コンテンツの提供方法は、同一メッセージ内容の複数の音声者による単位音声メッセージを格納し且つ随時更新されるサーバが、通信ネットワークを介して接続するクライアント端末に、同一メッセージ内容の単位音声メッセージが連続再生される自己改善コンテンツを提供する方法であって、クライアント端末からメッセージ内容の指定情報と該メッセージ内容を各再生順位で発声する音声者の指定情報を受信し、該メッセージ内容の指定情報と各再生順位の音声者の指定情報に基づき、該音声者に対応する単位音声メッセージを抽出し、各再生順位に各単位音声メッセージを設定して、同一メッセージ内容の各再生順位の単位音声メッセージが連続再生される単独ファイルの自己改善コンテンツを生成し、該自己改善コンテンツをクライアント端末に配信することを特徴とする。
【０００７】
更に、本発明の自己改善コンテンツの提供方法は、前記クライアント端末から、最初の単位音声メッセージの前若しくは最後の単位音声メッセージの後若しくは両方に設定する報知音の指定情報を受信し、前記自己改善コンテンツを生成する際に、該報知音の指定情報に基づき、格納する報知音から指定報知音を抽出し、単位音声メッセージより音量が大きい指定報知音を、最初の単位音声メッセージの前若しくは最後の単位音声メッセージの後若しくは両方に設定して、単独ファイルの自己改善コンテンツを生成することを特徴とする。
【０００８】
更に、本発明の自己改善コンテンツの提供方法は、前記クライアント端末から、最初の単位音声メッセージの前に設定する第１報知音と最後の単位音声メッセージの後に設定する第２報知音の指定情報を受信し、前記自己改善コンテンツを生成する際に、該第１報知音の指定情報及び第２報知音の指定情報に基づき、格納する報知音から指定第１報知音と指定第２報知音を抽出し、単位音声メッセージより音量が大きい指定第１報知音を最初の単位音声メッセージの前に設定すると共に、単位音声メッセージと指定第１報知音より音量が大きい第２報知音を最後の単位音声メッセージの後に設定して、単独ファイルの自己改善コンテンツを生成することを特徴とする。
【０００９】
更に、本発明の自己改善コンテンツの提供方法は、前記自己改善コンテンツを生成する際に、格納する各単位音声メッセージの再生時間若しくは各単位音声メッセージと報知音の再生時間を認識し、各再生時間の積算に基づき自己改善コンテンツの再生時間を取得し、該取得した再生時間を表示可能に付加して自己改善コンテンツを生成することを特徴とする。
【００１０】
また、本発明の自己改善コンテンツの提供方法は、同一メッセージ内容の複数の音声者による単位音声メッセージを格納し且つ随時更新されるサーバが生成する、同一メッセージ内容の単位音声メッセージが連続再生される自己改善コンテンツを、通信ネットワークを介して接続するクライアント端末に提供する方法であって、クライアント端末の表示画面で、メッセージ内容の指定と該メッセージ内容を各再生順位で発声する音声者の指定を促すステップと、クライアント端末から受信したメッセージ内容と各再生順位の音声者の指定情報に基づく単位音声メッセージを各再生順位に設定して生成される単独ファイルの自己改善コンテンツを、該クライアント端末に受信させるステップとを備えることを特徴とする。
【００１１】
尚、本発明に於けるクライアント端末は、パーソナルコンピュータ、通信機能を有する時計機器、その他の各種機器など適宜であるが、格納する自己改善コンテンツを再生出力することが可能で、利用者が常時携帯するか、身近に置く携帯電話、簡易携帯電話（ＰＨＳ）、ＩＰ携帯電話、ＰＤＡ等、常時携帯することが容易な小型携帯情報端末とすると、利用者が自己改善コンテンツの音声メッセージを聴く頻度を非常に高めることが可能になり好適である。また、報知音を設定する自己改善コンテンツを受信するクライアント端末は、設定時刻にアラーム音を鳴らすアラーム機能を有する小型携帯情報端末や時計装置とすると好適である。また、クライアント端末は、配信を受けた自己改善コンテンツを格納して再生出力するものの他、他の再生機器で自己改善コンテンツを格納して再生出力する場合に於ける、一旦受信して転送するための中継装置となるものでもよい。
【００１２】
また、単位音声メッセージの音声者や、報知音を音声とする場合の音声者には、実在の人物の他に、アニメーションのキャラクターなど架空の人物或いはその声優も含まれ、更に、著名人を音声者とすると好適であるが、任意の利用者の好みに合う音声を有する者であれば著名人に限定されない。また、単位音声メッセージのメッセージ内容は、誉め言葉など利用者の意識を肯定的に改善する内容であれば適宜であり、更に、単位音声メッセージの再生時間の長さやメッセージ内容の長さも適宜所定量に設定可能である。また、第１報知音や第２報知音は、例えば通常のアラーム音、楽曲、音声等とすることができ、単位音声メッセージのメッセージ内容に関連する内容の音声メッセージとすることも可能であり、更に、その再生時間も適宜所定量に設定可能である。また、自己改善コンテンツに表示可能に付加される再生時間は、例えば自己改善コンテンツのタイトル、或いはその他の詳細情報で表示されるように付加するとよい。また、自己改善コンテンツ或いはその自己改善内容の音声メッセージは、映像や画像を伴うものとしてもよい。また、報知音の音量は単位音声メッセージの音量以上であれば本発明の報知音に包含される。また、音声者の指定情報には、例えば音声者の識別情報や、その音声者による単位音声メッセージの識別情報等が含まれ、単独で或いはメッセージ内容の識別情報との組み合わせで単位音声メッセージを特定可能なものであれば適宜である。また、本発明に於ける音量は平均音量等とする。
【００１３】
また、本発明には、各発明や実施形態に明細書の開示事項を追加したものや、各発明や実施形態の部分的な構成を他の開示事項の構成に変更したものや、各発明や実施形態の部分的な構成を部分的な効果が得られる限度で削除したものが包含され、更に、特徴的な構成をシステム、装置、方法、プログラム等の適宜の表現で特定したものも含まれる。
【発明の効果】
【００１４】
本発明の自己改善コンテンツの提供方法は、以下の第１〜第６の効果を全て奏する。
【００１５】
第１に、同一メッセージ内容の音声が繰り返される自己改善コンテンツに対し、利用者は各再生順位に好みの音声者による単位音声メッセージを設定することが可能であることから、特定の音声者へ強い嗜好を有する利用者はその嗜好に合う自己改善コンテンツを得ることができると共に、音声者への嗜好が多岐に亘る利用者はその多岐の嗜好に合う自己改善コンテンツを得ることができる。そして、嗜好性の合致に基づき、より多くの利用者が同一の自己改善内容を頻繁に且つ持続して聴き続けることができる。
【００１６】
第２に、同一メッセージ内容に対して複数の音声者の単位音声メッセージが準備され、且つ新たな音声者の単位音声メッセージが追加されたり、異なる音声者の単位音声メッセージに変更されるなど随時更新されるので、利用者は、例えば新たな音声者の単位音声メッセージによる自己改善コンテンツ、新たな音声者と従前の音声者の単位音声メッセージの組み合わせによる自己改善コンテンツ等を必要に応じて得ることができる。即ち、利用者は、同一メッセージ内容に対し、経時的な変化に富む多様な自己改善コンテンツを得ることができるため、より多くの利用者が同一の自己改善内容を持続して聴き続けることができる。
【００１７】
第３に、特定の音声者へ強い嗜好を有する利用者は、特定の音声者による音声メッセージを用い、その嗜好による強い威光性に基づき、自己改善内容を意識に強く浸透させ、或いは威光暗示を図ることができると共に、複数の音声者を嗜好する利用者は、複数の音声者による音声メッセージを用い、その嗜好による威光性と、複数人から同一内容を聞かされることで暗示効果が高まる所謂社会的な合意性に基づき、自己改善内容を意識へ強く浸透させることができる。
【００１８】
第４に、単位音声メッセージが連続再生される単独ファイルの自己改善コンテンツとすることで、利用者は同一のメッセージ内容を反復して聴くために何度も再生入力する必要が無くなり、一度の再生入力で同一のメッセージ内容を反復して聴くことができる。
【００１９】
第５に、同一メッセージ内容に対して複数の音声者の単位音声メッセージが設定され、且つ随時更新されると共に、自己改善コンテンツを複数の単位音声メッセージを連続再生する単独ファイルにして提供するので、多くの利用者が、例えば従前の自己改善コンテンツに設定していた単位音声メッセージと新たに追加された音声者による単位音声メッセージを組み合わせた自己改善コンテンツや、音声者の異なる組み合わせによる自己改善コンテンツ等の配信を希望し、同一の単位音声メッセージの配信を何度も受けることになる。そして、異なる組み合わせの自己改善コンテンツの配信や、同一の単位音声メッセージの誘発的な配信等に基づき、単位音声メッセージを単位等とする従量制の課金や、多量な単位音声メッセージの配信を背景とした定額制課金の課金額の増加或いは維持で、自己改善コンテンツの提供者側は高い収益力を確保することができる。
【００２０】
第６に、多くの場合に同一メッセージ内容に対し複数の音声者による単位音声メッセージが用いられるので、新規なコンテンツ（単位音声メッセージ）の大きな需要を生じ、多くの単位音声メッセージの著作権者等が収入を得ることができる。
【００２１】
更に、利用者が起床する際に自己改善コンテンツを聴く場合に、最初の単位音声メッセージの前に単位音声メッセージより音量が大きい報知音を設定した自己改善コンテンツを用いることにより、利用者は、報知音の報知で覚醒若しくは半覚醒し、脳波がα波やθ波の自己暗示に適した状態で且つ聴き続けるのに適した音量で自己改善コンテンツを聴くことができる。また、最後の単位音声メッセージの後に単位音声メッセージより音量が大きい報知音を設定した自己改善コンテンツを用いることにより、利用者は、自己改善コンテンツの再生開始で覚醒若しくは半覚醒し、脳波がα波やθ波の自己暗示に適した状態で且つ聴き続けるのに適した音量で自己改善内容を聴き、報知音で完全に起床することが可能となる。また、第１報知音、各再生順位の単位音声メッセージ、第２報知音の順に再生され、単位音声メッセージ、第１報知音、第２報知音の順に音量が大きくなる構成により、利用者は、第１報知音の報知で覚醒若しくは半覚醒し、脳波がα波やθ波の自己暗示に適した状態で且つ聴き続けるのに適した音量で自己改善内容を聴き、第２報知音で完全に起床することが可能となる。
【００２２】
また、報知音と単位音声メッセージの組み合わせで、利用者は起床時に自己改善内容を聴くことが可能であるから、特別に聴く行為をせずとも自然な生活習慣の中で自己改善内容を聴くことができ、多くの利用者が自己改善内容を持続して聴き続けて恒常的な意識改善を図ることが可能となる。また、より一層変化に富む多様な自己改善コンテンツを提供して飽きを防ぎ、利用者が同一の自己改善内容を持続して聴き続けることを支援することができる。また、自己改善コンテンツを単独ファイルとすることで、アラーム機能を有する各種機器でアラーム音として簡単に設定することができ、一度の設定操作で一連の報知音と音声メッセージを起床時等に聴くことができる。また、報知音と音声メッセージの異なる組み合わせにより、同一の音声メッセージ或いは報知音をより多く配信することが可能であり、音声メッセージや覚醒音毎に単価を設定する等の従量制課金で収益を向上することができ、又は、多量な音声メッセージの配信や覚醒音の配信を背景にして定額制課金の課金額の増加や維持を図ることができ、自己改善コンテンツの提供者側は収益力を確保することができ、更に覚醒音や音声メッセージの著作権者も収入を増加することができる。
【００２３】
更に、自己改善コンテンツの再生時間を表示可能に自己改善コンテンツに付加することにより、利用者が自己改善コンテンツを再生装置のアラーム音に設定し、起床する際に自己改善コンテンツを聴く場合に、自己改善コンテンツの再生時間を認知して、起床したい時間から再生時間分逆算した時刻をアラームの設定時刻に設定することができる。
【００２４】
更に、クライアント装置が携帯電話等の小型携帯情報端末である場合には、利用者は、例えば再生入力でスピーカ、イヤホン、レシーバからの出力機能がある携帯電話ではレシーバから出力される自己改善コンテンツの音声メッセージを聴く、或いは自己改善コンテンツの音声メッセージをアラーム機能付携帯電話等のアラーム音に設定して起床時等に聴く、或いは自己改善コンテンツを着信音に設定して聴く等、様々な場所や時に所望の形態で自己改善コンテンツの音声メッセージを聴くことができる。そのため、自己改善コンテンツの音声メッセージを聴く頻度を一層増大させ、メッセージ内容の意識への浸透を促進することができる。
【発明を実施するための最良の形態】
【００２５】
本発明の自己改善コンテンツの提供方法について実施形態に基づき説明する。
【００２６】
本実施形態は、図１に示す全体構成を基に自己改善コンテンツを配信するものである。図１に於いて、１００は自己改善コンテンツを配信する配信サーバ、２００は利用者への課金情報や単位音声メッセージ・第１報知音・第２報知音に関わる著作権者へ支払う著作権料を管理する対価管理サーバ、３００は自己改善コンテンツの配信を受ける携帯電話である。配信サーバ１００と対価管理サーバ２００はネットワークで接続されたネットワークコンピュータであり、また、配信サーバ１００と携帯電話とは、インターネット・ゲートウェイサーバ・携帯電話網・無線基地局で構成される通信ネットワーク４００を介して適時に接続される。
【００２７】
配信サーバ１００は、通信制御部１０１、ＣＰＵや制御プログラムを格納するＲＯＭやＣＰＵのワーキングエリアとなるＲＡＭ等で構成される制御部１０２を有すると共に、制御部１０２で用いられて配信サーバ１００をウェブサーバやアプリケーションサーバとして機能させるＣＧＩプログラム等のサーバプログラムを格納するサーバプログラム格納部１０３、利用者へ提示する画面であるウェブページを格納するウェブページ格納部１０４、利用者の利用者ＩＤ・パスワード・氏名・住所・クレジットカード番号若しくは銀行口座番号など利用者に関する情報を格納する利用者情報データベース１０５、複数種類の自己改善のメッセージ内容に対応する音声者の単位音声メッセージを格納する単位音声メッセージデータベース１０６、楽曲や覚醒用音声等の複数種類の報知音をそれぞれ格納する第１報知音データベース１０７及び第２報知音データベース１０８を有し、１０３〜１０８はハードディスク等の記憶部に設けられる。その他に図に省略した操作入力部、表示部等を備える。
【００２８】
自己改善のメッセージ内容は、例えば望ましい心情の在り方に関し「あなたは愛情に溢れており、いつも優しく寛容である」、美容に関し「あなたは輝きに満ちて美しく、私はあなたに惹かれています」、健康回復に関し「あなたの健康は日々益々回復し、エネルギーが満ちてきています」、仕事の発展に関し「あなたは喜びに溢れてお客様に奉仕し、益々仕事を繁栄させています」など、精神的な豊かさや物質的な豊かさに関する肯定的な改善内容とし、各メッセージ内容はウェブページに記述され利用者に提示される。また、単位音声メッセージＤＢ１０６には、同一の自己改善のメッセージ内容毎に複数の音声者の音声による単位音声メッセージが準備され格納されており、同一メッセージ内容に対応する複数の単位音声メッセージは随時追加或いは変更されて更新される。尚、同一のメッセージ内容に対応する複数の音声者の音声による単位音声メッセージは、音声者により語尾など言い回し方等が若干異なるものでもよく、同趣旨のものであれば適宜である。また、単位音声メッセージの音声者は、例えば著名人、芸能人、アニメーションのキャラクター若しくはその声優等、利用者が好印象を持って音声者をイメージし、メッセージ内容について威光性を感じることが可能な者であればよい。
【００２９】
第１報知音ＤＢ１０７に格納されている第１報知音は、睡眠中の利用者を覚醒状態や半覚醒状態にする楽曲や音声等であり、格納されている第１報知音の音量パラメータは単位音声メッセージの音量パラメータより大きくなっている。また、第２報知音ＤＢ１０８に格納されている第２報知音は、覚醒状態や半覚醒状態の利用者を起床させる楽曲や音声等であり、格納されている第２報知音の音量パラメータは単位音声メッセージの音量パラメータや第１報知音の音量パラメータより大きく設定されている。前記単位音声メッセージ、第１報知音、第２報知音の音量は、携帯電話３００の所定段階に調整された音量に対し、例えば所定距離離れた利用者に単位音声メッセージ：３５〜５０ｄＢ、第１報知音：５０〜６０ｄＢ、第２報知音：６０〜７０ｄＢとなるように設定するが、適宜設定することが可能である。尚、報知音を一つのデータベースに格納し、第１報知音或いは第２報知音として抽出した報知音の音量パラメータをそれぞれ第１報知音用或いは第２報知音用に設定する構成としてもよい。
【００３０】
対価管理サーバ２００は、図に省略した通信制御部、ＣＰＵや制御プログラムを格納するＲＯＭやＣＰＵのワーキングエリアとなるＲＡＭ等で構成される制御部、各種データやプログラムを記憶するハードディスク等の記憶部、操作入力部、表示部等で構成され、配信サーバ１００とネットワークを介して接続される。前記記憶部は、利用者への課金情報や単位音声メッセージ・第１報知音・第２報知音に関わる著作権者側へ支払う支払対価を管理する対価管理プログラムを格納すると共に、単位音声メッセージ・第１報知音・第２報知音の各識別情報に対応する請求単価を格納する請求単価格納部、前記各識別情報に対応する支払単価を格納する支払単価格納部、利用者への請求対価を格納する請求対価格納部、単位音声メッセージ・第１報知音・第２報知音の著作権者側への支払対価を格納する支払対価格納部、各単位音声メッセージや第１報知音や第２報知音の著作権者側の著作権者ＩＤ・名称・支払先など著作権者情報を、単位音声メッセージや第１報知音や第２報知音の識別情報に対応して記憶する著作権者情報ＤＢを有する。
【００３１】
携帯電話３００は、通信制御を行う通信制御部３０１、ＣＰＵや制御プログラムを格納するフラッシュメモリやＣＰＵの作業領域となるＳＲＡＭ等で構成される制御部３０２、フラッシュメモリ等で構成され、各種アプリケーションプログラムや後述する自己改善コンテンツを格納する記憶部３０３、利用者の操作入力を受け付けるボタン等の操作入力部３０４、液晶若しくは有機ＥＬディスプレイ等の表示部３０５、マイクロフォン３０６、音声を出力するレシーバ３０７及びスピーカ３０８等を備える。制御部３０２が所定プログラムに従って動作する携帯電話３００は、ブラウザー機能、記憶部３０３に格納している自己改善コンテンツを再生出力する機能、設定時刻にアラーム音を鳴らすアラーム機能を有する。
【００３２】
次に、本実施形態の自己改善コンテンツの配信過程について図２に基づき説明する。
【００３３】
先ず、利用者のＵＲＬやアクセス要求の入力に従って携帯電話３００は配信サーバ１００へアクセス要求を送信し（Ｓ２０１）、配信サーバ１００は、携帯電話３００からのアクセス要求を受信して接続を確立し（Ｓ１０１）、配信サーバ１００或いはその制御部１０２は、ウェブページ格納部１０４のウェブページを用い、自己改善コンテンツの配信へ誘導する項目等が示される所定画面を送信して提示する。そして、利用者の前記項目の選択入力に基づき、配信サーバ１００は、携帯電話３００から前記項目の情報を受信し、利用者の認証画面を携帯電話３００に送信して提示する。携帯電話３００或いはその制御部３０２は、配信サーバ１００から受信する認証画面を表示部３０５に表示し、利用者の認証画面に於ける利用者ＩＤ及びパスワードの入力及び送信要求の入力に従い、利用者ＩＤ及びパスワードを配信サーバ１００へ送信する（Ｓ２０２）。配信サーバ１００は、利用者ＩＤ及びパスワードの受信に応じ、利用者情報ＤＢ１０５から前記利用者ＩＤのパスワードを抽出し、受信したパスワードと照合し、両パスワードが一致した場合には利用者を認証する（Ｓ１０２）。尚、利用者の認証処理は適宜であり、例えばパスワードに代えて指紋や静脈パターン等の生体情報で認証してもよい。
【００３４】
利用者を認証した場合、配信サーバ１００は、「心情」、「健康」、「美容」、「仕事」等の自己改善メッセージのカテゴリー項目が選択入力可能に表示されるカテゴリー選択画面を携帯電話３００に送信し、他方で、携帯電話３００は、受信したカテゴリー選択画面を表示し、利用者が所望するカテゴリー項目の選択入力に従い、選択されたカテゴリーの識別情報を配信サーバ１００へ送信する（Ｓ２０３）。更に、配信サーバ１００は、選択されたカテゴリーの識別情報の受信に応じて、カテゴリーを特定し（Ｓ１０３）、そのカテゴリーに含まれる複数のメッセージ内容の文章がそれぞれ選択入力可能に表示されるメッセージ内容選択画面を携帯電話３００に送信し、他方で、携帯電話３００は、受信したメッセージ内容選択画面を表示し、利用者が所望するメッセージ内容の選択入力に従い、選択されたメッセージ内容の識別情報を配信サーバ１００へ送信する（Ｓ２０４）。
【００３５】
その後、配信サーバ１００は、メッセージ内容の識別情報の受信に応じて、メッセージ内容を特定し（Ｓ１０４）、そのメッセージ内容に対して格納している単位音声メッセージの音声者名の一覧と設定完了項目が選択入力可能に表示されると共に、再生順に音声者名を選択して決定入力し最後に設定完了の入力を促すメッセージが表示される音声者設定画面を携帯電話３００に送信し、携帯電話３００は受信する音声者設定画面を表示する。利用者は、再生を希望する順番に音声者名を選択して決定し、音声者名の数や予め決められている数の範囲内等で希望する再生順位まで音声者名の選択及び決定を繰り返し、所要の再生順位まで音声者を選択決定した後に、設定完了項目を選択入力する。携帯電話３００は、音声者名の選択及び決定入力に応じて、選択された音声者の識別情報を決定入力毎に配信サーバ１００へ順次送信し、設定完了項目の選択入力に応じて、設定完了情報を配信サーバ１００へ送信する（Ｓ２０５）。尚、本実施形態は音声者名一覧の音声者で、同一の音声者名を複数回選択し、後述する自己改善コンテンツを同一の単位音声メッセージが異なる再生順位で複数回再生されるものとすることが可能なものとし、利用者の多様な嗜好性に対応できるものとしているが、後述の配信サーバ１００が音声者の識別情報を受信する際に、同一の音声者識別情報を受信した場合には警告を送信する等により、異なる音声者名の選択や異なる単位音声メッセージの設定だけが可能な構成とすることもできる。
【００３６】
配信サーバ１００は、メッセージ内容の識別情報が内包されている音声者の識別情報を順次受信し、受信した順番と対応させ各音声者の識別情報をＲＡＭ等に一時保持して音声者或いはその音声者による単位音声メッセージを特定すると共に（Ｓ１０５）、設定完了情報の受信に応じて、単位音声メッセージの再生前に報知音を鳴らすか否かを問うメッセージと選択可能なＹＥＳとＮＯの項目を表示する第１報知音設定の確認画面を携帯電話３００へ送信する。前記各音声者の識別情報と対応する受信した順番は、最先に受信したのもから順にそのまま単位音声メッセージの再生順となる。他方で、携帯電話３００は、第１報知音設定の確認画面を表示し、利用者が選択したＹＥＳ又はＮＯの情報を配信サーバ１００へ送信する（Ｓ２０６）。
【００３７】
第１報知音設定の確認画面に於けるＹＥＳの情報を受信した場合（Ｓ１０６）、配信サーバ１００は、設定可能な第１報知音の一覧と第１報知音の選択を促すメッセージを表示する第１報知音選択画面を携帯電話３００へ送信し、他方で、携帯電話３００は、第１報知音選択画面を表示し、利用者が所望する第１報知音の選択入力に従い、選択された第１報知音の識別情報を配信サーバ１００へ送信する（Ｓ２０６）。配信サーバ１００は、第１報知音の識別情報を受信し、第１報知音の識別情報をＲＡＭ等に一時保持して第１報知音を特定すると共に（Ｓ１０７）、単位音声メッセージの再生後に報知音を鳴らすか否かを問うメッセージと選択可能なＹＥＳとＮＯの項目を表示する第２報知音設定の確認画面を携帯電話３００へ送信する。また、第１報知音設定画面に於けるＮＯの情報を受信した場合（Ｓ１０６）、配信サーバ１００は、第２報知音設定の確認画面を携帯電話３００へ送信する。
【００３８】
そして、携帯電話３００は、受信する第２報知音設定の確認画面を表示し、利用者が選択したＹＥＳ又はＮＯの情報を配信サーバ１００へ送信する。第２報知音設定画面に於けるＹＥＳの情報を受信した場合（Ｓ１０８）、配信サーバ１００は、設定可能な第２報知音の一覧と第２報知音の選択を促すメッセージを表示する第２報知音選択画面を携帯電話３００へ送信し、他方で、携帯電話３００は、第２報知音選択画面を表示し、利用者が所望する第２報知音の選択入力に従い、選択された第２報知音の識別情報を配信サーバ１００へ送信する（Ｓ２０７）。
【００３９】
配信サーバ１００は、選択された第２報知音の識別情報の受信に応じ、若しくは第２報知音設定画面に於けるＮＯの情報の受信に応じ、自己改善コンテンツを生成する（Ｓ１１０）。この際、第１報知音と第２報知音が両方とも選択された場合、配信サーバ１００の制御部１０２は、第２報知音の識別情報の受信に応じて第２報知音を特定し（Ｓ１０９）、受信した第２報知音の識別情報に対応する第２報知音を第２報知音ＤＢ１０８から抽出し、且つＲＡＭ等に一時保持している第１報知音の識別情報に対応する第１報知音を第１報知音ＤＢ１０７から抽出し、且つＲＡＭ等に一時保持している各再生順の音声者の識別情報に対応する各音声者の単位音声メッセージを単位音声メッセージＤＢ１０６から抽出し、更に、ＲＡＭ等に保持する各音声者の再生順やサーバプログラムに設定されている第１報知音と第２報知音の再生位置の情報に基づき、前記再生順に各音声者の単位音声メッセージを配置すると共に、先頭の単位音声メッセージの前に第１報知音を配置し、且つ最後の単位音声メッセージの後に第２報知音を配置してファイル結合し、必要に応じてファイル形式を変換し、第１報知音・各再生順の音声者の単位音声メッセージ・第２報知音の順序で連続して再生される一体化したファイルの自己改善コンテンツを生成する。
【００４０】
また、第１報知音だけが選択された場合、制御部１０２は、第２報知音設定画面に於けるＮＯの情報の受信に応じて、一時保持している第１報知音の識別情報に対応する第１報知音を第１報知音ＤＢ１０７から抽出し、一時保持している各再生順の音声者の識別情報に対応する各音声者の単位音声メッセージを単位音声メッセージＤＢ１０６から抽出し、更に、前記再生順に各音声者の単位音声メッセージを配置すると共に、先頭の単位音声メッセージの前に第１報知音を配置してファイル結合し、必要に応じてファイル形式を変換し、第１報知音・各再生順の音声者の単位音声メッセージの順序で連続して再生される一体化したファイルの自己改善コンテンツを生成する。
【００４１】
また、第２報知音だけが選択された場合、制御部１０２は、第２報知音の識別情報の受信に応じて、受信した第２報知音の識別情報に対応する第２報知音を第２報知音ＤＢ１０８から抽出し、且つ一時保持している各再生順の音声者の識別情報に対応する各音声者の単位音声メッセージを単位音声メッセージＤＢ１０６から抽出し、更に、前記再生順に各音声者の単位音声メッセージを配置すると共に、最後の単位音声メッセージの後に第２報知音を配置してファイル結合し、必要に応じてファイル形式を変換し、各再生順の音声者の単位音声メッセージ・第２報知音の順序で連続して再生される一体化したファイルの自己改善コンテンツを生成する。
【００４２】
また、第１報知音も第２報知音も選択されない場合、制御部１０２は、第２報知音設定画面に於けるＮＯの情報の受信に応じて、一時保持している各再生順の音声者の識別情報に対応する各音声者の単位音声メッセージを単位音声メッセージＤＢ１０６から抽出し、前記再生順に各音声者の単位音声メッセージを配置してファイル結合し、必要に応じてファイル形式を変換し、各再生順の音声者の各単位音声メッセージが連続して再生される一体化したファイルの自己改善コンテンツを生成する。
【００４３】
前記ファイル結合やファイル形式の変換による自己改善コンテンツの生成及び後述の配信は、例えば第１報知音、単位音声メッセージ、第２報知音をそれぞれｗａｖ形式で第１報知音ＤＢ１０７、単位音声メッセージＤＢ１０６、第２報知音ＤＢ１０８にそれぞれ格納し、これらのｗａｖ形式のデータから所要データを抽出し、ファイル結合して第１報知音・各再生順の音声者の単位音声メッセージ・第２報知音等の順序で連続再生される一体化したｗａｖ形式の自己改善コンテンツを生成して配信する、或いは前記生成した一体的なｗａｖ形式の自己改善コンテンツをｍｍｆ形式やｍｌｄ形式等に変換して、ｍｍｆ形式やｍｌｄ形式等の一体化した自己改善コンテンツを生成して配信する、或いは各データベース１０６〜１０８に格納されるｍｍｆ形式やｍｌｄ形式等のデータをファイル結合し、一体化したｍｍｆ形式やｍｌｄ形式等の一体化した自己改善コンテンツを生成して配信する構成等とする。尚、音声と対応する映像を有する単位音声メッセージ、第１報知音、第２報知音とする場合には例えばｍｐｅｇ形式等とする。
【００４４】
そして、配信サーバ１００或いはその制御部１０２は、自己改善コンテンツに、メッセージ内容の識別情報或いは音声者の識別情報に対応して音声メッセージＤＢ１０６等の所定記憶部に格納しているメッセージ内容によるタイトル若しくはメッセージ内容の特徴的な部分を示すタイトル、或いはメッセージ内容の全部若しくは一部と、単位音声メッセージのヘッダに記述されている音声者名を結合したタイトルを付加して自己改善コンテンツの生成を完了し、生成した自己改善コンテンツを携帯電話３００にダウンロードで配信する（Ｓ１１１）。他方で、携帯電話３００或いはその制御部３０２は、配信された自己改善コンテンツをダウンロードで受信し、受信した自己改善コンテンツを記憶部３０３のデータフォルダ等の所定記憶領域に格納する（Ｓ２０８）。前記格納された自己改善コンテンツは前記タイトルで特定される。
【００４５】
利用者が携帯電話３００に格納された自己改善コンテンツを利用する際には、例えば設定時刻にアラーム音を鳴らすアラーム機能を有する携帯電話３００で、そのアラーム音として自己改善コンテンツを設定し、所望の設定時刻に携帯電話３００で再生されスピーカ３０８から出力される自己改善コンテンツを聴く、又は、所望時に携帯電話３００で自己改善コンテンツを選択し、再生入力でスピーカ３０８や別途取り付けるイヤホン等から出力させて聴く、或いは携帯電話３００がデータフォルダのデータをレシーバ３０７からの出力する機能を有する場合には、レシーバ３０７からの出力指定や自己改善コンテンツの再生入力を行い、喫茶店等の外出先で自己改善コンテンツをレシーバ３０７から出力させて聴く、又は着信音に設定して着信時に聴く等により利用することが可能である。
【００４６】
また、配信サーバ１００或いはその制御部１０２は、携帯電話３００への自己改善コンテンツの配信に応じて、ＲＡＭ等に保持する自己改善コンテンツを配信した利用者の利用者ＩＤ、配信した自己改善コンテンツに設定した各再生順位の単位音声メッセージの音声者の識別情報（メッセージ内容の識別情報を内包）、第１報知音や第２報知音が設定された場合には第１報知音の識別情報や第２報知音の識別情報を対価管理サーバ２００に出力すると共に、利用者情報ＤＢ１０５から利用者ＩＤに基づき抽出する利用者の氏名・住所・利用者のクレジットカード番号等を対価管理サーバ２００に出力する。
【００４７】
対価管理サーバ２００或いはその制御部は、設定されている対価管理プログラムに従い、利用者ＩＤ及びメッセージ内容の識別情報を内包する音声者の識別情報や第１報知音・第２報知音の識別情報の受信に応じ、請求単価格納部から音声者の識別情報に対応設定されている単位音声メッセージの請求単価や、第１報知音・第２報知音の識別情報に対応設定されている第１報知音や第２報知音の請求単価を抽出し、各請求単価を積算して自己改善コンテンツの請求対価を算出し、その請求対価を受信した利用者ＩＤ・利用者の氏名や住所・クレジットカード番号等と対応させ、利用者への課金情報として請求対価格納部に格納し、前記請求対価を利用者へ請求可能とする（Ｓ１１２）。更に、対価管理サーバ２００は、音声者や第１報知音や第２報知音の識別情報に基づき、これらの識別情報と対応設定されている著作権者情報のうち著作権者ＩＤ・著作権者の名称・支払先等の所要情報を著作権者ＤＢから抽出すると共に、支払単価格納部から各識別情報に対応して設定されている単位音声メッセージや第１報知音・第２報知音の支払単価を抽出し、再生順位中に同一の音声者の識別情報が有るものについては識別情報毎に単位音声メッセージの支払単価を積算して支払対価とすると共に、同一の識別情報が無いものについては抽出した支払単価を支払対価とし、これらの各識別情報に対応する支払対価を各識別情報の対応する所要の著作権者情報と対応させて著作権料情報として支払対価格納部に格納し、前記支払対価を各著作権者側へ支払可能とする（Ｓ１１３）。尚、同一の利用者ＩＤに対する請求対価や著作権者ＩＤに対応する支払対価は、順次格納部の対価に加算して合計額を取得し、その合計額を各格納部に格納するようにしてもよい。
【００４８】
次に、上記実施形態の自己改善コンテンツの提供の変形例について説明する。
【００４９】
先ず、上記実施形態の構成に加え、生成する自己改善コンテンツの再生時間を取得し、その再生時間をメッセージ内容の一部等と併せて自己改善コンテンツのタイトルとして表示可能に付加する或いは詳細情報に表示可能に付加する構成とすると好適である。即ち、自己改善コンテンツは通常の目覚音や目覚音声より再生時間が長いので、起床時に自己改善コンテンツをアラーム音に設定して再生出力する場合に、前記再生時間に基づき、起床時刻から逆算して再生を開始する所要の設定時刻を容易に認識することが可能となり、自己改善コンテンツをアラーム音に設定して用いる利用者の便宜性を高めることができる。前記構成は、例えば単位音声メッセージ、第１報知音、第２報知音の各ヘッダに各々の再生時間或いは再生時間を認識可能な情報を記述して各ＤＢ１０６〜１０８に格納し、配信サーバ１００或いは制御部１０２が、自己改善コンテンツを生成する際に、所要の単位音声メッセージ・第１報知音・第２報知音の各ヘッダの再生時間に関する情報から各再生時間を認識し、各再生時間を積算して自己改善コンテンツ全体の再生時間を取得し、生成する自己改善コンテンツのヘッダに自己改善コンテンツ全体の再生時間を記述する構成等とする。
【００５０】
また、生成及び配信する自己改善コンテンツのタイトルや詳細情報は適宜であり、例えば配信サーバ１００或いは制御部１０２が、自己改善コンテンツのタイトルを入力する画面を携帯電話３００に送信し、携帯電話３００で入力されたタイトルを受信して一時格納し、前記タイトルを付加して自己改善コンテンツを生成するなど利用者が設定するタイトルとする構成や、配信サーバ１００が、音声者の識別情報に対応して所定記憶部に格納する音声者名を認識し、その音声者名を自己改善コンテンツのヘッダに記述して、詳細情報等として表示可能に付加する構成等としてもよい。更に、自己改善コンテンツは適宜の複製防止技術で複製防止処理を施したものとすると、不正コピーを防止して収益性を確保することができ好適である。更に、自己改善コンテンツの配信構成は適宜であり、例えば配信サーバ１００が、利用者情報ＤＢ１０５に格納するメールアドレスを抽出して電子メールを生成し、電子メールに自己改善コンテンツを添付して前記メールアドレスに配信する構成等とすることができる。
【００５１】
また、上記実施形態は、実在の音声者或いはキャラクターの場合には声優等による実際の音声を単位音声メッセージとする構成とするが、利用者が音声者を違和感なく想起できる程度に人工音声の精度が良い場合には、単位音声メッセージを人工音声とすることも可能である。更に、単位音声メッセージのメッセージ内容には、「あなた」等の利用者への呼びかけがある構成とすると、利用者へのメッセージであることを明確にし、意識浸透力を高めることができて好適であるが、人工音声により、呼びかけ部分を利用者の名前にした自己改善コンテンツを生成してもよい。前記構成は、例えば配信サーバ１００或いは制御部１０２が、利用者情報ＤＢ１０５の利用者の名前を、適宜の人工音声生成技術により特定した音声者の音声で音声化し、その音声データを呼びかけ部分の位置情報を有する単位音声メッセージの呼びかけ部分に挿入する構成等とする。
【００５２】
また、第１報知音や第２報知音を音声メッセージとする場合に、単位音声メッセージのメッセージ内容に関連する内容のものとしてもよく、例えばメッセージ内容の識別情報に対応する第１報知音や第２報知音の一覧画面をウェブページ格納部１０４に格納すると共に、前記識別情報に対応して第１報知音や第２報知音を各ＤＢ１０７、１０８に格納し、配信サーバ１００が、受信したメッセージ内容の識別情報に対応する第１報知音や第２報知音の選択画面を携帯電話３００に送信し、選択された第１報知音や第２報知音の識別情報に対応する第１報知音や第２報知音をＤＢ１０７、１０８から抽出して、自己改善コンテンツに設定する構成等とする。
【００５３】
また、利用者に課金する構成は、上記単位音声メッセージ毎の従量制の課金の他、例えば対価管理サーバ２００が利用者情報ＤＢの利用者に定額の設定額を定期的に課金して請求対価格納部に課金するなど定額制でもよい。更に、配信サーバ２００等が、携帯電話３００のサブスクライバＩＤ等の端末ＩＤや携帯電話３００に取り付けられるＩＣカードの識別ＩＤで利用者を識別して課金する構成や、或いは携帯電話会社経由で電話料金と併せて請求する構成等を適宜用いることができる。また、自己改善コンテンツ単位で従量制課金をする構成としてもよい。
【００５４】
また、配信サーバ１００が、携帯電話３００からメッセージ内容の識別情報、各再生順位に対応する音声者の識別情報或いは単位音声メッセージの識別情報、第１報知音や第２報知音の識別情報等を受信してこれらを特定する構成は上記実施形態以外にも適宜であり、例えば携帯電話３００にＪＡＶＡ（登録商標）等のアプリケーションプログラムを設定し、携帯電話３００が、予め選択されたメッセージ内容の識別情報、各再生順位の音声者の識別情報、所要の第１報知音や第２報知音の識別情報を一セットとして保持し、配信サーバ１００が前記一セットの識別情報を携帯電話３００から受信する構成や、或いは、配信サーバ１００が、任意のメッセージ内容に於ける複数の音声者に対応して再生順位を入力可能な画面を携帯電話３００に送信し、携帯電話３００から受信する各音声者の再生順位に基づき各音声者の単位音声メッセージを配置する構成等とすることが可能である。
【００５５】
また、配信サーバ１００は、音声者の識別情報にメッセージ内容の識別情報を内包させて音声者の識別情報或いは単位音声メッセージの識別情報とし、音声者の識別情報或いは単位音声メッセージの識別情報に対応して単位音声メッセージを格納・抽出する構成の他に、例えばメッセージ内容の識別情報と、メッセージ内容の識別情報を内包しない音声者の識別情報に対応して単位音声メッセージを格納・抽出する構成等とすることが可能である。
【産業上の利用可能性】
【００５６】
本発明は、例えば携帯電話等に対するコンテンツ配信産業で利用することができる。
【図面の簡単な説明】
【００５７】
【図１】実施形態の自己改善コンテンツの配信を行う配信サーバ、対価管理サーバ及び携帯電話による全体構成を示すブロック図。
【図２】実施形態の自己改善コンテンツの配信過程を示すフローチャート。
【符号の説明】
【００５８】
１００  配信サーバ
１０６  単位音声メッセージデータベース
１０７  第１報知音データベース
１０８  第２報知音データベース
２００  対価管理サーバ
３００  携帯電話
４００  通信ネットワーク
【図１】
2005260764.tif 000003
【図２】
2005260764.tif 000004